(57)【要約】  【課題】再生対象となる画像ファイルを効率良く再生するための制御ファイルを作成可能な電子撮像装置を提供する。  【解決手段】記録媒体に記録された画像ファイルを再生し、当該画像ファイルに対応する画像コマを生成して表示手段に表示させ、所望する１つの画像コマを選択する。そして、所望する１つの画像コマが選択された後、当該選択された１つの画像コマに対応した画像ファイルの再生を管理するための制御ファイルを作成する。上記制御ファイルは、ＡＳＣＩＩコードを用いて上記画像ファイルとは異なるファイルとして作成される。【選択図】      図２３
2004297833.tif 000002
【特許請求の範囲】
【請求項１】
記録媒体に記録された画像ファイルを再生し、当該画像ファイルに対応する画像コマを生成して表示手段に表示する電子撮像装置において、
上記表示手段に上記画像コマを１コマづつ表示させ、所望する１つの画像コマを選択可能となす画像コマ選択モードに設定する設定手段と、
上記選択された１つの画像コマに対応した画像ファイルの再生を管理するための制御ファイルを作成する制御ファイル作成手段と、
を具備し、
上記制御ファイルは、上記画像コマ選択モードに設定された状態で、上記所望する１つの画像コマが選択された後に、ＡＳＣＩＩコードを用いて上記画像ファイルとは異なるファイルとして作成されることを特徴とする電子撮像装置。
【発明の詳細な説明】
【技術分野】
【０００１】
本発明は、記録媒体に記録された画像ファイルを再生可能な画像再生装置に関し、特に電子撮像装置で再生する画像ファイルの再生制御に関する。
【背景技術】
【０００２】
メモリカード、磁気媒体（ハードディスクやフロッピーディスク）及び光磁気媒体等の記録媒体に画像データ、音声データ及び制御データをファイルとして記録する電子カメラが実用化されている。かかるデジタルカメラでは、得られた画像データを順番に記録媒体に記録するだけで特別な処理を施していない。記録媒体にデータをファイル形式で記録する場合には、メモリ管理は、例えばデータの互換性の面からパーソナルコンピュータ等で標準的なＤＯＳ形式で行われることが望ましく、デジタルカメラではＤＯＳ形式によりメモリが管理されている。このことは他の画像記録・再生装置についても同様である。そして、記録媒体には、その動作を制御するための制御情報を制御ファイルとして記録することも検討されている。
【発明の開示】
【発明が解決しようとする課題】
【０００３】
しかしながら、かかる電子撮像装置では、得られた画像データや音声データ及び制御データを単に記録媒体に記録するだけで、画像ファイル再生時における当該画像ファイルの再生効率については何ら考慮されていない。
【０００４】
そこで、本発明は、再生対象となる画像ファイルを効率良く再生するための制御ファイルを作成可能な電子撮像装置を提供するにある。
【課題を解決するための手段】
【０００５】
前述の課題を解決するため、本発明による電子撮像装置は、記録媒体に記録された画像ファイルを再生し、当該画像ファイルに対応する画像コマを生成して表示手段に表示する電子撮像装置において、上記表示手段に上記画像コマを１コマづつ表示させ、所望する１つの画像コマを選択可能となす画像コマ選択モードに設定する設定手段と、上記選択された１つの画像コマに対応した画像ファイルの再生を管理するための制御ファイルを作成する制御ファイル作成手段とを具備し、上記制御ファイルは、上記画像コマ選択モードに設定された状態で、上記所望する１つの画像コマが選択された後に、ＡＳＣＩＩコードを用いて上記画像ファイルとは異なるファイルとして作成される。
【０００６】
本発明の電子撮像装置では、記録媒体に記録された画像ファイルを再生し、当該画像ファイルに対応する画像コマを生成して表示手段に表示させ、所望する１つの画像コマを選択する。そして、所望する１つの画像コマが選択された後、当該選択された１つの画像コマに対応した画像ファイルの再生を管理するための制御ファイルを作成する。上記制御ファイルは、ＡＳＣＩＩコードを用いて上記画像ファイルとは異なるファイルとして作成される。
【発明の効果】
【０００７】
本願発明によれば、再生対象となる画像ファイルの再生を管理する制御ファイルは、画像ファイルとは別に作成されるので、各別の画像データにアクセスせずに再生用の制御ファイルに直接アクセスするだけで、各画像ファイルを効率よく再生することができる。
また、画像コマ選択モードに設定された後に制御ファイルが作成されるので、画像コマの選択に伴って自動的に制御ファイルを作成することができる。
さらに、パソコン等の汎用的な情報再生装置で文字として表示しやすく、電子カメラ等でも簡単なプログラムで作成できるASCIIコードを用いて再生用の制御ファイルを記述するので、画像の関連情報に基づいて当該画像データを迅速に検索したり、再生することが容易にできる。
【実施例１】
【０００８】
次に、本発明の実施例について図面を参照しながら説明する。図１は、本発明に関連する画像記録・再生装置の一例であるデジタルスチルカメラ（電子撮像装置）の斜視図である。カメラ筐体１００には、レンズ１０１、撮影指示を行うトリガスイッチ１０２、ＬＣＤ等から構成される表示パネル１０３、動作を指示する操作スイッチ１０４、メモリカード１０６が挿入、装着される挿入スロット１０５、撮影された映像信号を出力するビデオ信号出力端子１０７、外部装置とのデータ授受を行う外部インタフェース（Ｉ／Ｆ）１０８が装備されている。
【０００９】
操作スイッチ１０４の構成は、図２に平面図で示すように、カメラ電源のＯＮ／ＯＦＦを制御する電源スイッチ１０４Ａ、記録／再生モードを切り換える記録／再生スイッチ１０４Ｂ、再生コマを選択するＵＰスイッチ１０４ＣとＤＯＷＮスイッチ１０４Ｄ、制御ファイル操作用のコントロールスイッチ１０４Ｅを備える。
【００１０】
表示パネル１０３は、例えば、図３に示す如く、制御ファイルを表す“ＣＯＮＴＲＯＬ”１０３Ａ、プログラム再生を表す“ＰＲＯＧ ＰＬＡＹ”１０３Ｂ及び７セグメント２桁表示の数字表示部１０３Ｃを有し、“ＰＲＯＧ ＰＬＡＹ”の点灯は再生を、消灯が記録を示している。
【００１１】
図４は、デジタルスチルカメラの構成ブロック図である。被写体は、レンズ１を介して光電変換手段であるＣＣＤ等の撮像素子を有し、変換された電気信号に対して所定の撮像処理を施す回路を有する撮像回路２に入力される。撮像回路２からの映像信号は、Ａ／Ｄコンバータ３でデジタルデータに変換され、フレームメモリ４に書き込まれる。フレームメモリ４から読み出された映像データは、Ｄ／Ａコンバータ５でアナログ信号に変換され、ビデオエンコーダ６でエンコード処理された後、外部端子７とビューファインダ８に供給される。データ記録時にはフレームメモリ４から読み出された映像データは、圧縮／伸長回路９でＪＰＥＧ方式等に準拠した圧縮方式で圧縮処理が施され、カードインタフェース（Ｉ／Ｆ）１６を介してメモリカード１７に記録される。再生時には、カードインタフェース１６を介してメモリカード１７から読み出された映像データは、圧縮／伸長回路９で伸長され、フレームメモリ４に書き込まれる。フレームメモリ４から読み出された映像データは、Ｄ／Ａコンバータ５、ビデオエンコーダ６の処理を経て外部端子７、ビユーファインダ８に出力される。
【００１２】
システム制御回路１０は、カメラ動作の全体を制御する。例えば、表示・スイッチ制御回路１１を介して、表示部１２（図１の１０３に対応）の表示を制御するとともに、操作スイッチ１３（図１の１０４に対応）からの操作情報に基づいてカメラ動作を制御する。システム制御回路１０は、またキャラクタジェネレータ１４を介して映像信号にキャラクタ情報を重畳させ、ＲＳインタフェース（Ｉ／Ｆ）１５を介して外部との通信制御を行う。
【００１３】
電源１８は、後述するカードインタフェース１６に電源を供給するもので、カードインタフェース１６からのメモリカード１７の装着検出信号をシステム制御回路１０の割込端子ＩＮＴが受信すると電源供給動作を開始させるように制御されている。
【００１４】
メモリカード１７に音声データが記録されている場合には、カードインタフェース１６を介して読み出された音声データは音声回路１９で音声処理され、スピーカ２０から出力される。音声データのメモリカード１７への記録は、マイク２１と音声回路１９及びカードインタフェース１６を介して行われる。
【００１５】
図５には、メモリカード内のデータ配置例が示されている。先頭領域であるブートセクタには管理情報のパラメータデータが記録され、ＦＡＴにはメモリ使用状況を表すテーブルが記録され、続いて、画像ファイル、制御ファイル、音声ファイル（図示せず）等が記録されているデータ記録領域が配置されている。画像ファイルや音声ファイルは、ヘッダーと画像データ領域から成っている。この画像データは、ＪＰＥＧに準拠した形式のデータである。
【００１６】
さて、記録媒体に記録されているファイルの制御ファイルの利用例について説明する。ファイルの区別は、ファイル名の拡張子により行う。ＤＯＳシステムでは、ファイル名称は８文字の主ファイル名と３文字の拡張子から構成され、拡張子が「Ｊ６Ｉ」が画像ファイルを、「Ｊ６Ｓ」が音声ファイルを、「Ｊ６Ｃ」が制御ファイルをそれぞれ表す。
【００１７】
制御ファイルは、ＡＳＣＩＩコードで記述され、下記キーワード（ＴＡＢＬＥ，ＰＲＯＧＲＡＭ，ＭＯＤＥＭ，ＣＯＮＤＩＴＩＯＮ，ＰＲＯＣＥＳＳ等）により制御情報が規定される。
＃＃ＴＡＢＬＥ           コマ番号（ＮＯ．）の管理
＃＃ＰＲＯＧＲＡＭ       プログラム再生
＃＃ＭＯＤＥＭ           モデム制御
＃＃ＣＯＮＤＩＴＩＯＮ   撮像条件設定
＃＃ＰＲＯＣＥＳＳ       演算処理
【００１８】
エントリ位置によるコマ番号管理状態で、コマ送り時に制御ファイルの登録されているディレクトリが指定された場合に制御ファイルの表示を行う。図６には、ディレクトリ・エントリに順次登録されているファイル例が示されている。本例では、コマ番号が位置情報を示し、各位置対応に画像ファイルや制御ファイルが登録されている。
【００１９】
図７には、制御ファイルの例として、図６のコマ番号３として登録しているファイルＣＴＬ００００３．Ｊ６Ｃで規定されている情報例が示されている。図７にはプログラム再生が指示され、ＤＳＣ００００１．Ｊ６Ｉの画像ファイルを１０秒間再生（映出）する旨の指示、ＤＳＣ００００４．Ｊ６Ｉの画像ファイルを１５秒間再生する旨の指示の後、＃ＥＮＤでプログラム終了する旨が規定されている。プログラム設定のためには、パーソナルコンピュータを用いたり、モニタ上に制御ファイルを映出して設定することができる。
【００２０】
図８のモニタ表示例を参照すると、同図（Ａ）は、２コマ目の画像ファイルの再生状態を示し、ＵＰスイッチの操作によりコマ番号をインクリメントすると、（Ｂ）に示すようにコマ番号“０３”が表示されるとともに、“ＰＲＯＧ ＰＬＡＹ”が点滅表示される。このとき、モニタにはミュート画面が表示される。ここで、トリガスイッチが操作されると、プログラム再生動作に入り、図７に示す制御ファイルが実行されると、（Ｃ）に示すように“ＰＲＯＧ ＰＬＡＹ”が点灯表示され、１コマ目の画像ファイルが１０秒間再生される。続いて、（Ｄ）に示すように、４コマ目の画像ファイルが１５秒間再生され、＃ＥＮＤでプログラム再生が終了し、（Ｂ）と同様な表示状態である（Ｅ）の表示状態に戻る。
【００２１】
コマ番号指定用のＵＰスイッチとＤＯＷＮスイッチに関する処理手順について図９を参照して説明する。ＵＰスイッチ処理では、先ず、再生モードか否かを判定し（ステップＳ１）、再生モードでなければ処理を終了し、再生モードであるときには、コマ番号を１だけ加算し（インクリメントし）（ステップＳ２）、コマ番号を表示し（ステップＳ３）、コマ番号で指定されるディレクトリを読み出す（ステップＳ４）。次に、記録済か否かを判定し（ステップＳ５）、記録済でなければミュート再生処理を実行し（ステップＳ６）、記録済であれば拡張子をチェックして（ステップＳ７）、映像ファイルか否かを判定する（ステップＳ８）。ここで、映像ファイルであれば映像再生処理を実行し（ステップＳ９）、映像ファイルでなければ制御ファイルか否かを判定する（ステップＳ１０）。制御ファイルでなければ、ミュート再生処理を実行し（ステップＳ１１）、制御ファイルであれば、またミュート再生処理を実行した（ステップＳ１２）後、“ＰＲＯＧ ＰＬＡＹ”のセグメントをモニタ上に点滅表示し（ステップＳ１３）、処理手順を終了する。また、ＤＯＷＮスイッチ処理では、同様に再生モードか否かを判定し（ステップＳ１４）、再生モードでなければ処理を終了し、再生モードであるときには、コマ番号を１だけ減算して（デクリメントして）（ステップＳ１５）、ステップＳ３の処理に移行する。
【００２２】
プログラム再生を実行するときのトリガスイッチ操作に応答する処理手順を図１０を参照して説明する。先ず、再生モードか否かを判定し（ステップＳ２１）、再生モードでなければ記録モードトリガ処理を実行し（ステップＳ２２）、再生モードであれば、“ＰＲＯＧ ＰＬＡＹ”が点滅中か否かを判定する（ステップＳ２３）。ここで、点滅中でなければ、ＥＶＦ、モニタに日付データを表示し（ステップＳ２４）、点滅中であれば、“ＰＲＯＧ ＰＬＡＹ”セグメント点灯表示し（ステップＳ２５）、制御ファイル名称を読み出す（ステップＳ２６）。次に、再生時間（例えば、図７における１０秒間や１５秒間）を読み出し（ステップＳ２７）、ディレクトリ内のファイルの有無を判定し（ステップＳ２８）、なければステップＳ３４の処理に移行し、あればコマ番号を表示し（ステップＳ２９）、再生処理を実行した（ステップＳ３０）後、指定された再生時間を経過するのを待つ（ステップＳ３１）。該再生時間が経過すると、次の制御ファイル名称を読み出し（ステップＳ３２）、＃ＥＮＤによる終了か否かを判定する（ステップＳ３３）、このとき、終了していなければ、ステップＳ２７の処理に戻り、終了していればミュート再生処理を実行し（ステップＳ３４）、“ＰＲＯＧ ＰＬＡＹ”を点滅表示し（ステップＳ３５）、処理手順を終了する。
【００２３】
上述例では、コマ番号はディレクトリ内のエントリの位置情報を用いているが、制御ファイルでコマ番号を管理することも可能で、これらを切り換えて用いることができる。すなわち、ディレクトリ内のファイル名称のチェックを行い、拡張子がＪ６Ｃのファイル（コントロールファイル）がなければエントリの位置情報をコマ番号とする。Ｊ６Ｃのファイルがある場合は、ファイル内のフラグをチェックし、制御ファイルによるコマ番号管理が指定されている場合、制御ファイルによるコマ番号管理を行う。
【００２４】
コマ番号管理の制御ファイルの内容は、例えばコントロールファイルＣＴＬ１．Ｊ６Ｃについての例が１１に図示され、＃＃ＴＡＢＬＥでコマ番号の管理が指定され、図１２に示すように、ディレクトリにコントロールファイルを先頭にして、以降図示の如く記録される。
【００２５】
図１３を参照して上記コマ番号管理の切り換え処理手順を説明すると、カード装着処理が行われた後、メモリカードのフォーマットがＯＫか否かを判定し（ステップＳ４１）、カメラがＤＯＳフォーマットを扱えないときには警告を発し、ＯＫであれば制御ファイル（“Ｊ６Ｃ”）を検索した（ステップＳ４２）後、制御ファイルの有無を判定する（ステップＳ４３）。制御ファイルがあれば、制御ファイル内のコマ番号を管理するフラグの有無を“＃＃ＴＡＢＬＥ”の文字列を検索して調べ（ステップＳ４４及びステップＳ４５）、あれば制御ファイルでコマ番号を管理し（ステップＳ４６）、なければディレクトリ・エントリ位置よりコマ番号を生成して（ステップＳ４７）、本処理手順を終了する。ステップＳ４３において、制御ファイルがないと判定すると、ステップＳ４７の処理に移行する。
【００２６】
次に、制御ファイルや制御ファイルの内容を順次表示する例について説明する。図１４にはメモリカードのディレクトリ内でのファイルの登録状況が示されており、ファイルはコントロールスイッチによって選択して表示される。図１５には、図１４の制御ファイル：ＣＴＬ１．Ｊ６Ｃの内容が表示されている。図１５は＃＃ＭＯＤＥＭで表されるキーワードとしてＭＯＤＥＭコントロールの制御ファイルが示され、キーワードの横にコメント情報が記述されている。ＴＥＬ ＮＯは送信先の電話番号を示し、送信するコマのファイル名がＦｉＬＥとして指定され、＃ＥＮＤでこのブロックの処理が終了し、引き続いて、同様にして次の送信先電話番号、送信ファイル名が指定されている。
【００２７】
図１６には、図１４のキーワード“ＰＲＯＣＥＳＳ”の制御ファイルＣＴＬ２．Ｊ６Ｃの内容が表示されている。この制御ファイルは、輪郭強調、ぼかし処理、目視画面処理等を規定するもので、ＦｉＬＴＥＲ−１、ＦｉＬＴＥＲ−２処理等が規定されている。この処理としては、処理プログラム自体を記述しておくことも可能である。
【００２８】
図１７には、図１４のカメラの動作条件を規定するキーワード“ＣＯＮＤＩＴＩＯＮ”の制御ファイルＣＴＬ３．Ｊ６Ｃの内容が表示されている。本例では、ストロボ（ＳＴＲＯＢＯ）とホワイトバランス（ＷＢ）の使用状態が規定されているが、絞り、シャッター速度等のプログラム線図として任意に設定可能であり、スポーツやポートレイト等、撮影状態、条件に応じて最適な条件を設定可能である。
【００２９】
コントロールスイッチによる所望のブロックのファイルを検索表示する例が図１８に図示されている。この状態では、画面上には“ＣＯＮＴＲＯＬ”が点滅表示され、右上部にはコマ番号が、中央部にはキーワードとコメントが表示されている。同図（Ａ）には、図１４のコマ番号２の制御ファイル（１５に図示されている）が表示され、コントロールスイッチの操作により同図（Ｂ）に示すようにコマ番号２の制御ファイルの２番目の内容が表示されるようになる。コントロールスイッチの更なる操作によって（Ｃ）や（Ｄ）に示すような４コマ目のファイルの内容（図１６）が表示される。コマ番号５を選択するようにコントロールスイッチを操作すると、図１７に示すファイルの内容が（Ｅ）や（Ｆ）のように表示される。こうすることによって、ディレクトリに存在する多数ブロックの中からコントロールファイルのみをコントロールスイッチを用いて迅速に検索、表示できる。
【００３０】
上記処理手順を図１９のフローチャートを参照して説明すると、コントロールスイッチ処理が施されると、現在制御ファイルの表示中か否かを判定し（ステップＳ５１）、表示中でなければ、ディレクトリの先頭から拡張子がＪ６Ｃのファイルを検索し（ステップＳ５２）、Ｊ６Ｃの拡張子の有無を判定し（ステップＳ５３）、あれば制御ファイルのキーワードとコメントをＥＶＦとモニタ上に表示して（ステップＳ５５）、コントロールセグメントを点滅表示させる（ステップＳ５６）、本処理手順を終了する。ステップＳ５３において、ないと判定されると、エラー表示を、例えば図２０に示すように行う（ステップＳ５４）。
【００３１】
ステップＳ５１において、制御ファイルが表示中であれば、ファイル内の次のキーワードの検索を行い（ステップＳ５７）、該キーワードの有無を判定し（ステップＳ５８）、ありと判定するとステップＳ５５の処理に移行し、ないと判定すると、次に、ディレクトリエントリから拡張子がＪ６Ｃのファイルを検索する（ステップＳ５９）。次に該ファイルの有無を判定し（ステップＳ６０）、ありと判定するとステップＳ５５の処理に移行し、ないと判定すると、終了表示を図２１に示す如く行う。
【００３２】
次に、本発明の実施例として、メモリカードに記録されている画像ファイルと音声ファイルを組み合わせて再生することができる画像記録・再生装置について説明する。例えば、図２２に示すような記録ファイルについて、再生時には主ファイル名や主ファイル名の一部が同じで拡張子が異なるもの（公知のように、Ｊ６Ｉが画像ファイル、Ｊ６Ｓが音声ファイルを示す）を選択（検索）して読み出して実行することができる。こうすることにより、１個のファイルとして扱うことができるので、扱いが簡単になり、関連を表す特別情報が不要でメモリ管理が容易となる。
【００３３】
図２３を参照して本実施例の処理手順を説明すると、先ずコマ番号で指定されるファイルを検索し（ステップＳ７１）、映像ファイルか否かを判定し（ステップＳ７２）、映像ファイルでなければミュート再生処理を実行し（ステップＳ７７）、映像ファイルであれば映像ファイルを再生する（ステップＳ７３）。次に、主ファイル名（主ファイル名の一部）が同一の拡張子Ｊ６Ｓファイルを検索し（ステップＳ７４）、該拡張子の有無を判定し（ステップＳ７５）、ありと判定すると音声ファイルを再生して（ステップＳ７６）、処理手順を終了し、また、なしと判定するとそのまま処理を終了する。
【００３４】
上記処理において、繰り返し音声ファイルを再生したい場合には、トリガスイッチを再び操作すれば良いし、音声ファイル（データ）の再生が不可能な装置の場合には、音声ファイルがある旨の表示をして操作者に告知せしめることもできる。
【００３５】
上記制御ファイルはＡＳＣＩＩコードで記述、作成されるが、この作成は直接操作によって行うこともできる。カメラでプログラム再生の制御ファイルを作成する場合は、コントロールボタンを押して作成モードにし、ＵＰ／ＤＯＷＮスイッチで再生コマを選択し、トリガスイッチを押し、再生指定時間毎にトリガスイッチを押す。再生コマ選択以後の処理を繰り返して必要なファイルが作成された後にコントロールボタンを押してファイル作成を終了する。尚、トリガスイッチの押下により再生指定時間の設定中は時間スケールを加速したり、デジタル表示してＵＰ／ＤＯＷＮスイッチで再生指定時間を設定することもできる。
【００３６】
次に、カメラ等の画像記録・再生装置へのＩＣメモリカード等の記録媒体の装着、離脱時の安定動作を確保する例について説明する。尚、ここで、「装着」とは、給電用導体セグメントの電気的接触が得られた状態を言い、「離脱」とは、給電用導体セグメントの電気的接触が解除された状態を言う。前述のような記録再生装置では、メモリカードの装置への確実な電気的接続が行われた後に始めてアクセス動作が確実となる。例えば、アクセス中に（電気的接続中に）カードが離脱されると、カードへの誤書き込みが生じ、カードが充分に装着されていない不安定な状態でアクセスが行われると誤動作の恐れがある。そこで、従来は、カードのピンのうち所定のピン長を他ピンより短めに設定してあり、両ピンの接続完了検出信号を受信したときに、アクセスを許容するようにしているが、浅い挿入時には検出が不確実となる。また、このような構成は、カード装着部を複雑とし、コストアップの要因にもなり、操作性の面でも問題がある。
【００３７】
そこで、本例は、カードの装着、離脱を認識する手段の動作時間を変えることによって、媒体のデータ破壊を防止し、安定した装着を保証している。すなわち、カードが離脱される場合は、図４におけるシステム制御回路１０への割込処理により、高速にカードインタフェース１６への電源１８からの電源供給をオフし、カードへの誤書き込みを禁止する。
【００３８】
また、カードが装着される場合は、一定時間以上（本例では０．５秒）、安定して装着されていることを確認する。カメラが一定時間以上、メモリカードの装着の安定性を確認しているので、操作者は一定時間、装着動作を継続することになり、そのためメモリカードの十分安定な装着が保証される。
【００３９】
図２４を参照して上述実施例のカード装着割り込み処理を説明すると、カード装着時の検出信号ＣＤをカードインタフェース１６から受信すると、タイマを初期化し（ステップＳ８１）、その後、未だカード装着状態にあるか否かを判定し（ステップＳ８２）、カードが装着されていなければ処理を終了し、カード装着状態にあれば、０．５秒経過したか否かを判定する（ステップＳ８３）。０．５秒経過していなければ、ステップＳ８２の処理に戻る。ステップＳ８３において、０．５秒が経過したと判定すれば、カードありフラグをセットし（ステップＳ８４）、カードインタフェース１６への電源供給をオンし（ステップＳ８５）、カード装着処理を実行して（ステップＳ８６）。本処理手順を終了する。
【００４０】
次に、カード離脱割り込み処理について図２５を参照して説明する。カードインタフェース１６からカード装着信号ＣＤがなくなり、離脱されたときに、直ちにカードインタフェース１６への電源供給をオフし（ステップＳ９１）、カードありフラグをクリアして（ステップＳ９２）、カード離脱処理を実行する（ステップＳ９３）。
【図面の簡単な説明】
【００４１】
【図１】本発明に関連する画像記録・再生装置の一例であるデジタルスチルカメラ（電子撮像装置）への適用例の斜視図である。
【図２】図１の操作スイッチ１０４の構成を示す平面図である。
【図３】図１の表示パネル１０３の表示例を示す図である。
【図４】デジタルスチルカメラの構成ブロック図である。
【図５】メモリカード内のデータ配置例を示す図である。
【図６】ディレクトリ・エントリに順次登録されているファイル例を示す図である。
【図７】図６のコマ番号３として登録しているファイルＣＴＬ００００３．Ｊ６Ｃで規定されている情報例を示す図である。
【図８】上述例におけるモニタ表示例を示す図である。
【図９】コマ番号指定用のＵＰスイッチとＤＯＷＮスイッチに関する処理手順を示すフローチャートである。
【図１０】プログラム再生を実行するときのトリガスイッチ操作に応答する処理手順示すフローチャートである。
【図１１】コマ番号管理の制御ファイルの内容、例えばコントロールファイルＣＴＬ１．Ｊ６Ｃについての例を示す図である。
【図１２】図１１の例における＃＃ＴＡＢＬＥでコマ番号の管理が指定されたディレクトリへの記録例を示す図である。
【図１３】本例におけるコマ番号管理の切り換え処理手順を示すフローチャートである。
【図１４】メモリカードのディレクトリ内でのファイルの登録状況を示す図である。
【図１５】図１４の制御ファイル：ＣＴＬ１．Ｊ６Ｃの内容を示す図である。
【図１６】図１４のキーワード“ＰＲＯＣＥＳＳ”の制御ファイルＣＴＬ２．Ｊ６Ｃの内容を示す図である。
【図１７】図１４のカメラの動作条件を規定するキーワード“ＣＯＮＤＩＴＩＯＮ”の制御ファイルＣＴＬ３．Ｊ６Ｃの内容を示す図である。
【図１８】コントロールスイッチによる所望のブロックのファイルを検索表示する例を示す図である。
【図１９】図１８に示す例の処理手順を示すフローチャートである。
【図２０】図１９におけるエラー表示例を示す図である。
【図２１】図１９における終了表示例を示す図である。
【図２２】本発明による画像記録・再生装置の一実施例としての主ファイル名や主ファイル名の一部が同じで拡張子が異なるものを選択（検索）して読み出して再生する例を説明するための図である。
【図２３】図２２に示す実施例の処理手順を示すフローチャートである。
【図２４】本発明に関連する他の例におけるカードの装着時のカードのデータ破壊を防止し、安定した装着を保証する例を示す図である。
【図２５】本発明に関連する更に他の例におけるカードの離脱時のカードのデータ破壊を防止し、安定した装着を保証する例を示す図である。
【符号の説明】
【００４２】
１      レンズ
２      撮像回路
３      Ａ／Ｄコンバータ
４      フレームメモリ
５      Ｄ／Ａコンバータ
６      ビデオエンコーダ
７      外部端子
８      ビューファインダ
９      圧縮／伸長回路
１０    システム制御回路
１１    表示・スイッチ制御回路
１２    表示回路
１３    操作スイッチ
１４    キャラクタジェネレータ
１５    ＲＳインタフェース
１６    カードインタフェース
１７、１０６  メモリカード
１８    電源
１９    音声回路
２０    スピーカ
２１    マイク
１００  カメラ筐体
１０１  レンズ
１０２  トリガスイッチ
１０３  表示パネル
１０４  操作スイッチ
１０５  スロット
１０７  ビデオ信号出力端子
１０８  外部インタフェース
【図１】
2004297833.tif 000003
【図２】
2004297833.tif 000004
【図３】
2004297833.tif 000005
【図４】
2004297833.tif 000006
【図５】
2004297833.tif 000007
【図６】
2004297833.tif 000008
【図７】
2004297833.tif 000009
【図８】
2004297833.tif 000010
【図９】
2004297833.tif 000011
【図１０】
2004297833.tif 000012
【図１１】
2004297833.tif 000013
【図１２】
2004297833.tif 000014
【図１３】
2004297833.tif 000015
【図１４】
2004297833.tif 000016
【図１５】
2004297833.tif 000017
【図１６】
2004297833.tif 000018
【図１７】
2004297833.tif 000019
【図１８】
2004297833.tif 000020
【図１９】
2004297833.tif 000021
【図２０】
2004297833.tif 000022
【図２１】
2004297833.tif 000023
【図２２】
2004297833.tif 000024
【図２３】
2004297833.tif 000025
【図２４】
2004297833.tif 000026
【図２５】
2004297833.tif 000027